(57)【要約】【課題】「布絡み」を抑えて良好な洗浄性能を保証すると共に、短時間で「しわ付き」の少ない乾燥を実現することができるパルセータおよび洗濯乾燥機を提供する。【解決手段】パルセータ１０は上面に斜面が形成された円板であって、平面視において中心軸Ｏから外周に至る円弧状に形成された点対称で、一定の高さの稜線２ａ、２ｂと、その間で中心軸Ｏから外周に向かって除々に低くなる遷移線１ａ、１ｂとを有し、遷移線１ａ、１ｂと稜線２ａ、２ｂとをそれぞれ結ぶ急斜面１２ａ、１２ｂと、稜線２ａ、２ｂと遷移線１ｂ、１ａとをそれぞれ結ぶ、急斜面１２ａ、１２ｂよりも傾斜角度が緩やかな緩斜面２１ａ、２１ｂと、が形成されている。洗濯時、衣類は急斜面１２ａ、１２ｂによって中心軸Ｏ周りに撹拌され、乾燥時、衣類は緩斜面２１ａ、２１ｂを滑らかに登った後、急斜面１２ａ、１２ｂに急激に滑り落ちる。【選択図】図２
2008043394.tif 000002
【特許請求の範囲】
【請求項１】
洗濯乾燥機の洗濯槽の底部に設置される上面に複数の傾斜面が形成された円板からなるパルセータであって、
側面視において、前記円板の中心軸において底面から第１の高さ（Ｈ１）で、前記円板の外周において底面から第２の高さ（Ｈ２）になるように外周に向かって除々に低くなり、平面視において、前記中心軸から前記外周に至る円弧状または渦巻き状に形成された複数の遷移線（１ａ、１ｂ）と、
側面視において、前記中心軸から前記外周に渡って第１の高さ（Ｈ１）を維持し、平面視において、前記遷移線（１ａ、１ｂ）と同一方向に張り出し、前記中心軸から前記外周に至る円弧状または渦巻き状に形成された複数の稜線（２ａ、２ｂ）と、
中心軸から所定の距離にある円周に沿って、前記一方の遷移線（１ａ）の張り出し方向から前記一方の稜線（２ａ）の張り出し方向に向かって除々に高くなる第１の傾斜面（１２ａ）と、
前記一方の稜線（２ａ）の張り出し方向から前記他方の遷移線（１ｂ）の張り出し方向に向かって除々に低くなる第２の傾斜面（２１ａ）と、を有し、
前記第１の傾斜面（１２ａ）の傾斜が前記第２の傾斜面（２１ａ）の傾斜より大きいことを特徴とするパルセータ。
【請求項２】
前記平面視において前記中心軸から前記外周に至る円弧状が、前記円板の半径の１／２の曲率半径である半円であることを特徴とする請求項１記載のパルセータ。
【請求項３】
前記平面視において前記中心軸から前記外周に至る渦巻き状が、前記中心軸から遠ざかるに従って連続的にまたは段階的に曲率半径が大きくなる曲線であることを特徴とする請求項１記載のパルセータ。
【請求項４】
前記第１の傾斜面の摩擦係数が前記第２の傾斜面の摩擦係数より大きいことを特徴とする請求項１乃至３の何れかに記載のパルセータ。
【請求項５】
筐体と、
該筐体内に収納され、投入された衣類を洗濯および乾燥するための洗濯槽と、
該洗濯槽の底部に回転自在に設置された請求項１乃至４の何れかに記載のパルセータと、該パルセータを回転駆動するモータと、
該モータの回転を制御する制御手段と、を有する洗濯乾燥機。
【請求項６】
前記制御手段が、洗濯工程において前記パルセータを交互にそれぞれ異なる方向に回転する際、前記第１の傾斜面の方向に向けて回転する回転角が、前記第２の傾斜面の方向に向けて回転する回転角より大きいことを特徴とする請求項５記載の洗濯乾燥機。
【請求項７】
前記制御手段が、乾燥工程において前記パルセータを交互にそれぞれ異なる方向に回転する際、前記第２の傾斜面の方向に向けて回転する回転角が、前記第１の傾斜面の方向に向けて回転する回転角より大きいことを特徴とする請求項５または６記載の洗濯乾燥機。
【請求項８】
前記制御手段が、洗濯工程において前記パルセータを交互にそれぞれ異なる方向に回転する際、前記第１の傾斜面の方向に向けて回転する回転角速度が、前記第２の傾斜面の方向に向けて回転する回転角速度より大きいことを特徴とする請求項５乃至７の何れかに記載の洗濯乾燥機。
【請求項９】
前記制御手段が、乾燥工程において前記パルセータを交互にそれぞれ異なる方向に回転する際、前記第２の傾斜面の方向に向けて回転する回転角速度が、前記第１の傾斜面の方向に向けて回転する回転角速度より大きいことを特徴とする請求項５乃至８の何れかに記載の洗濯乾燥機。
【発明の詳細な説明】
【技術分野】
【０００１】
本発明は、洗濯乾燥機およびパルセータ、特に、パルセータ方式の洗濯乾燥機、および該洗濯乾燥機に設置されるパルセータに関するものである。
【背景技術】
【０００２】
一般に洗濯乾燥機は、パルセータ方式とドラム式とに大別される。パルセータ方式は、洗濯槽に配置されたパルセータを回転して、その回転によって「回流する水流」を発生させ、摩擦または振動などの機械的作用と洗剤による化学作用とによって汚れを除去するものである。洗濯された衣類の脱水は、洗濯槽（パルセータが配置されている）を回転し、遠心力によって水分を飛ばしている。さらに、脱水後の衣類の乾燥は、洗濯槽内に温風を吹きこみながらパルセータを回転している。
そして、洗濯乾燥機において、洗浄効率を高めるために「布絡み」を少なくし、かつ、「しわ付き」が少ない仕上がりを実現するための回転体（パルセータに同じ）が開示されている（例えば、特許文献１）。
【０００３】
【特許文献１】特開２００５−８１１０２号公報（第６−７頁、図２）
【発明の開示】
【発明が解決しようとする課題】
【０００４】
特許文献１に開示されたパルセータは、外周に向かって高くなる斜面が形成された円板であって、該斜面が、正面図（１２時−６時方向）においてＶ字状で、側面図（３時−９時方向）において直線状または逆Ｖ字状（山状）を呈している。したがって、かかるパルセータの回転によって、水または衣類は、所定の傾斜角度の斜面によって持ち上げられて、かつ、これと同じ傾斜角度の斜面（線対称の斜面）によって引き下げられることになる。
また、回転方向を交互に変更する場合、一方向に回転する場合と、これと反対の方向に回転する場合の様子とで、水または衣類に作用する上方向の力は原則同一になる。
そのため、かかるパルセータは、洗濯中には、水を適度に撹拌して衣類の「布絡み」を抑えるものの、水のない乾燥中には、衣類は動き難く乾燥効率が低下したり、かえって衣類の「しわ付き」を招来したりするという問題があった。
【０００５】
本発明は上記の問題を解決するものであって、「布絡み」を抑えて良好な洗浄性能を保証すると共に、短時間で「しわ付き」の少ない乾燥を実現することができるパルセータ、および該パルセータが設置された洗濯乾燥機を提供することを目的とする。
【課題を解決するための手段】
【０００６】
本発明に係るパルセータは、洗濯乾燥機の洗濯槽の底部に設置される上面に複数の傾斜面が形成された円板からなるパルセータであって、
側面視において、前記円板の中心軸において底面から第１の高さ（Ｈ１）で、前記円板の外周において底面から第２の高さ（Ｈ２）になるように外周に向かって除々に低くなり、平面視において、前記中心軸から前記外周に至る円弧状または渦巻き状に形成された複数の遷移線（１ａ、１ｂ）と、
側面視において、前記中心軸から前記外周に渡って第１の高さ（Ｈ１）を維持し、平面視において、前記遷移線（１ａ、１ｂ）と同一方向に張り出し、前記中心軸から前記外周に至る円弧状または渦巻き状に形成された複数の稜線（２ａ、２ｂ）と、
中心軸から所定の距離にある円周に沿って、前記一方の遷移線（１ａ）の張り出し方向から前記一方の稜線（２ａ）の張り出し方向に向かって除々に高くなる第１の傾斜面（１２ａ）と、
前記一方の稜線（２ａ）の張り出し方向から前記他方の遷移線（１ｂ）の張り出し方向に向かって除々に低くなる第２の傾斜面（２１ａ）と、を有し、
前記第１の傾斜面（１２ａ）の傾斜が前記第２の傾斜面（２１ａ）の傾斜より大きいことを特徴とする。
【発明の効果】
【０００７】
したがって、本発明に係るパルセータ、円弧状の稜線に向かって形成された第１の傾斜面（以下「急斜面」と称する場合がある）と第２の傾斜面（以下「緩斜面」と称する場合がある）とを具備するから、以下の効果を奏する。
（ｉ）洗濯中、急斜面に向かって回転すると、衣類は急斜面によって周方向かつ斜め上方向の力を受けるから、中心軸周りに撹拌される。よって、洗濯性能が向上する。
（ｉｉ）乾燥中、緩斜面に向かって回転すると、衣類は緩斜面を滑らかに登り、稜線に到達した後は、急斜面を急速に滑り落ちる。したがって、かかる上下運動によって衣類はほぐされ、乾燥が促進されると共に、「しわ付き」が防止される。
【発明を実施するための最良の形態】
【０００８】
[実施の形態１]
（パルセータ−半円式）
図１〜図５は本発明の実施の形態１に係るパルセータを説明する、図１は平面図、図２は斜視図、図３は稜線および遷移線に沿った展開図、図４はフィレットのない場合の円周に沿った展開図、図５はフィレットのある場合の円周に沿った展開図である。なお、以下の図において、同じ部分にまたは相当する部分には同じ符号を付し、一部の説明を省略する。また、同じ形態については、添え字「第１、第２」や「ａ、ｂ］の記載を省略して説明する。
【０００９】
（稜線）
図１および図２において、パルセータ１０は上面に滑らかな斜面が形成された円板であって、平面図（図２）において、中心軸Ｏから外周に至る円弧状に形成され、中心軸に対して点対称の第１稜線２ａと第２稜線２ｂが形成されている。このとき、第１稜線２ａは上に凸で、第２稜線２ｂは下に凸になっているから、第１稜線２ａおよび第２稜線２ｂの張り出し方向は、いずれも反時計周りの方向である。
図３の（ａ）および（ｂ）において、第１稜線２ａと第２稜線２ｂとは、中心軸Ｏから外周に渡って（図中、外周位置Ｒｂ３〜中心軸Ｏ〜外周位置Ｒａ３）第１高さＨ１を維持している。なお、実際の形状は、第１稜線２ａと第２稜線２ｂにフィレット（先端Ｒ）が形成されているから、外周位置Ｒｂ３と外周位置Ｒａ３とにおいて、高さが僅かに低くなっている。
【００１０】
（遷移線）
図１および図２において、第１稜線２ａと第２稜線２ｂとの間に、中心軸Ｏから外周に至る円弧状に形成され、中心軸に対して点対称の第１遷移線１ａと第２遷移線１ｂが形成されている。このとき、第１遷移線１ａは上に凸で、第２遷移線１ｂは下に凸になっているから、第１遷移線１ａおよび第２遷移線１ｂの張り出し方向は、いずれも、第１稜線２ａおよび第２稜線２ｂの張り出し方向に同じ、反時計周りの方向である。
図３の（ｃ）および（ｄ）において、第１遷移線１ａと第２遷移線１ｂとは、中心軸Ｏにおいて底面から第１高さＨ１で、円板の外周位置Ｔａ３、Ｔｂ３において底面から第２高さＨ２になるように外周に向かって除々に低くなっている。なお、実際の形状は、第１遷移線１ａと第２遷移線１ｂにフィレット（先端Ｒ）が形成されているから、外周位置Ｒｂ３と外周位置Ｒａ３とにおいて、高さが僅かに低くなると共に、中心軸Ｏにおいて、第１稜線２ａと第２稜線２ｂと滑らかに繋がり、上に凸の略円弧状を呈している。
【００１１】
（傾斜面）
図１および図２において、第１遷移線１ａの張り出し方向から第１稜線２ａの張り出し方向に向かって（反時計方向に同じ）、序々に高くなる第１の１傾斜面（以下「第１急斜面」と称す）１２ａと、
第１稜線２ａの張り出し方向から第２遷移線１ｂの張り出し方向に向かって（反時計方向に同じ）、序々に低くなる第１の２傾斜面（以下「第１緩斜面」と称す）２１ａと、
第２遷移線１ｂの張り出し方向から第２稜線２ｂの張り出し方向に向かって（反時計方向に同じ）、序々に高くなる第２の１傾斜面（以下「第２急斜面」と称す）１２ｂと、
第２稜線２ｂの張り出し方向から第１遷移線１ａの張り出し方向に向かって（反時計方向に同じ）、序々に低くなる第２の２傾斜面（以下「第２緩斜面」と称す）２１ｂと、
がそれぞれ形成されている。
【００１２】
図４および図５は、円周に沿った展開図であって、（ａ）は位置Ｒａ０、Ｒｂ０を通る円（中心軸Ｏに最も近い）、（ｂ）は位置Ｒａ１、Ｔａ１、Ｒｂ１、Ｔｂ１を通る円（中心軸Ｏから少し離れている）、（ｃ）はＲａ２、Ｔａ２、Ｒｂ２、Ｔｂ２を通る円（中心軸Ｏから略１／２半径離れている）、（ｄ）はＲａ３、Ｔａ３、Ｒｂ３、Ｔｂ３を通る円（外周位置）におけるものである。なお、実際はフィレットが形成されているから、稜線は上に凸に形成されている。また、以下、急斜面１２と緩斜面２１とをまとめて「緩急斜面」と称する場合がある。
【００１３】
（緩急斜面の作用効果）
図６および図７は本発明の実施の形態１に係るパルセータの作用効果を説明するものであって、図６は緩急斜面を示す模式図、図７は緩急斜面の作用効果を示す模式図である。
図６において、急斜面１２ａ（急斜面１２ｂも同様）は傾斜角度θ１で近似され、と緩斜面２１ａ（緩斜面２１ｂ同様）は傾斜角度θ２で近似されている。そして、傾斜角度θ１、２θの間に、以下の関係があるとき、下記作用効果を奏するものである。
θ１＝３０°〜６０°  ・・・・・式１
θ１＝（１．５〜３．）×θ２  ・・・・・式２
【００１４】
図６の（ａ）において、洗濯は主に、急斜面１２が回転方向になるようにパルセータ１０を回転して実行する（図１において時計回りに同じ）。このとき、急斜面１２により水および衣類は、周方向で斜め上方の力を受けることにより、中心軸Ｏ周りに撹拌されるから、洗濯性能が向上する。
また、パルセータ１０を逆転するとき（図１において反時計回りに回転するに同じ）、水および衣類は緩斜面２１を滑らかに登るから、時計方向の回転によって慣性が付与されている衣類が、急激に反時計周りに撹拌されることがない。このため、「衣絡み」が防止される。
【００１５】
図６の（ｂ）において、乾燥は主に、緩斜面２１が回転方向になるようにパルセータ１０を回転して実行する（図１において反時計回りに同じ）。このとき、衣類は緩斜面２１を滑らかに登り、稜線２（パルセータ１０の頂点に相当する）まで持ち上げられる。そして、その後、急斜面１２を急激に滑り落ちる。したがって、かかる上下運動を繰り返すことによって、衣類はほぐされ、温風が行き渡る。このとき、衣類には斜め上方向の力が作用しないから、布絡みが生じることがなく、前記滑り落ちと吹きつけられる温風の作用により、「しわ付き」が防止される。
【００１６】
なお、これに引き続き、パルセータ１０を逆転すると（図１において時計回りに回転するに同じ）、衣類は急斜面１２を登ることになるものの、該逆転の際の回転速度や回転角速度を小さくしておけば、「しわ付き」の発生を防止することができる。
そして、かかる「しわ付き」防止効果は、衣類が緩斜面２１を滑るように登る程大きくなるから、緩斜面２１を平滑に仕上げたり、摩擦係数を小さくする表面処理を施したりすることは有効である。
【００１７】
以上は、緩急斜面が円周方向に２条形成されたものを例示しているが、本発明はこれに限定するものではなく、３条以上であってもよい。なお、１条では、洗濯において水および衣類に作用する面、および乾燥において衣類に作用する面が少ないため，効果的な洗浄性能や乾燥能力が得られない。一方、多き過ぎる場合には，緩斜面の面積が狭くなったり緩斜面の傾斜角度が大きくなったりして、前記作用効果が小さくなる。
また，乾燥時にパルセータの回転速度を一定とすると，上下に揺動される頻度が多くなり過ぎ，効果的に衣類が動かない。さらに、回転速度を下げた場合，遷移線１と稜線２との高低差で決まる揺動の力が弱くなり，効果的に衣類が動かなくなることになる。
【００１８】
また、以上は、遷移線１および稜線２の平面図における形状を、パルセータ１０の半径に同じ直径を具備する半円にしているが、本発明はこれに限定するものではなく、均一な曲率半径の円弧や曲率半径が変動する渦巻き状（実施の形態２参照）であってもよい。
なお、パルセータ１０の半径に同じ直径を具備する半円にした場合には、乾燥工程において，パルセータの半径の１／２の位置から外側（半円である遷移線１および稜線２の中心から外周側に同じ）では，衣類を外側に押し出すような力を作用させ，内側では押し出す力を弱めることにより，衣類の内外で空間を生じさせることができ，温風を効果的に当てることができるものである。また、パルセータ１０の半径の１／２より大きな曲率半径を具備する円弧の場合、外側に押し出す力が弱くなり、前記効果的が弱められる。
【００１９】
[実施の形態２]
（パルセータ−渦巻き式）
図８〜図１２は本発明の実施の形態２に係るパルセータを説明する、図８は平面図、図９は斜視図、図１０は稜線および遷移線に沿った展開図、図１１はフィレットのない場合の円周に沿った展開図、図１２はフィレットのある場合の円周に沿った展開図である。
図８〜図１２に示すパルセータ２０は、平面図（図８）において、遷移線３ａ、３ｂおよび稜線４ａ、４ｂが、それぞれ中心軸Ｏから遠ざかるに従って連続的に曲率半径が大きくなる曲線（渦巻き状に同じ）を呈するものである。
このため、図８において、稜線４ａ、４ｂが反時計方向に湾曲して侵入しているから、特に、乾燥工程において、中心軸に近い範囲で、衣類を内側では押し出す力が弱まることになる。よって、衣類の内外で空間を生じさせることができ、温風をより効果的に当てることができるものである。
なお、パルセータ２０は、実施の形態１におけるパルセータ１０の遷移線１を遷移線３に、稜線２を稜線４に、急斜面１２を急斜面３４に、緩斜面２１を緩斜面４３に、それぞえ読み替えたものであるから、説明を省略する。また、前記曲線の曲率変形は、中心軸Ｏから所定の範囲毎に設定され、段階的（不連続的）に変動するものであっても、あるいは、サイクロロイド曲線やインボリュート曲線等であってもよい。
【００２０】
[実施の形態３]
（洗濯乾燥機）
図１３は本発明の実施の形態３に係る洗濯乾燥機を示す側面視の断面図である。
図１３に示す洗濯乾燥機１００は、洗濯機筐体１０１の内部に収納された洗濯液を貯水する受水槽１０２と、受水槽１０２の内部に回転自在に軸支された洗濯兼脱水槽１０３と、洗濯兼脱水槽１０３の底部内側に設置されたパルセータ１０（実施の形態１参照）とを有している。
このとき、受水槽１０２の中心軸と洗濯兼脱水槽１０３の中心軸が一致している。洗濯兼脱水槽１０３の周壁面には、水と空気を通過させるための小穴が多数設けられ、上部には流体バランサ１５１が設けられ、底部内側には衣類を撹拌するためのパルセータ１０が回転自在に軸支されている。そして、受水槽１０２の底部外側にはパルセータ１０や洗濯兼脱水槽１０３を回転駆動する駆動手段１０５が設置されている。
【００２１】
また、洗濯機筐体１０１の上部に、送風手段１０８、その直後に加熱手段１０９及び温風吐出口１１０が設けられ、受水槽１０２の底部と送風手段１０８とが、風路接続部１１１を介して風路１０７によって連結されている。そして、風路１０７の内部には除湿手段１５２が設置され、風路接続部１１１は可撓性を有する材料で構成されている。
さらに、受水槽１０２の上部と洗濯機筐体１０１の上部との隙間には、該隙間から温風が外部に漏れるのを防止する温風遮蔽手段１１２が設置され、洗濯機筐体１０１の上部にフタ１１３が開閉自在に設置され、フタ１１３を閉じることによって、受水槽１０２の上部は覆われることになる。
【００２２】
したがって、乾燥工程において、洗濯兼脱水槽１０３に温風を供給すると、衣類に付着していた水分は蒸発して、温風に取り込まれ、さらに、温風に取り込まれた水分は除湿手段１１５によって回収され図示しない排水径路を経由して、洗濯機筐体１０１外に排出される。このとき、洗濯兼脱水槽１０３は温風遮蔽手段１１２やフタ１１３によって密閉されているから、蒸気等が周囲に漏れ出すことがない。
【００２３】
なお、制御手段１０６は、洗濯工程ではパルセータ１０を時計方向および反時計方向に交互に回転させて衣類を攪拌し、脱水工程では洗濯兼脱水槽１０３を一方向に高速で回転させて遠心力によって衣類から洗濯液を取り去るよう、駆動手段１０５を制御するものである。また、乾燥工程においても、パルセータ１０は回転されるものである（これについては別途説明する）。
【００２４】
（運転シーケンス）
図１４および図１５は、本発明の実施の形態３に係る洗濯乾燥機に設置されたパルセータの運転シーケンスを説明するタイムチャートであって、それぞれ（ａ）は洗濯工程、（ｂ）は乾燥工程である。
図１４の（ａ）において、洗濯工程では衣類に周方向で斜め上方の動きを大きく与え、機械力を高めるために、急斜面１２に向かう回転（図１において時計方向回転に同じ）を緩斜面２１に向かう回転（図１において反時計方向回転に同じ）より、回転角度を大きく、同時に、回転角速度を大きくしている。すなわち、緩斜面２１に向かう回転（図１において反時計方向回転に同じ）を小さく、かつ、低速にしている。
したがって、実施の形態１（図７参照）において説明したパルセータ１０の「衣絡み」防止効果が奏される。
【００２５】
図１４の（ｂ）において、乾燥工程では衣類に上下方向の動きを大きく与え、布絡みを防止して「しわ付き」のない仕上がりを得るために、洗濯工程とは反対に、緩斜面２１に向かう回転（図１において反時計方向回転に同じ）を急斜面１２に向かう回転（図１において時計方向回転に同じ）より、回転角度を大きく、同時に、回転角速度を大きくしている。すなわち、急斜面１２に向かう回転（図１において時計方向回転に同じ）を小さく、かつ、低速にしている。
したがって、実施の形態１（図７参照）において説明したパルセータ１０の「しわ付き」防止効果が奏される。
【００２６】
図１５の（ａ）において、洗濯工程では衣類に周方向で斜め上方の動きを大きく与え、機械力を高めるために、急斜面１２に向かう回転（図１において時計方向回転に同じ）を緩斜面２１に向かう回転（図１において反時計方向回転に同じ）より、回転角度を大きくし、このとき、回転角速度を等しくしている。すなわち、緩斜面２１に向かう回転（図１において時計方向回転に同じ）を同じ速度で、小さくしている。
したがって、実施の形態１（図７参照）において説明したパルセータ１０の「衣絡み」防止効果が奏されると共に、回転角速度を等しくしている分、反時計方向回転の時間や停止時間が短縮され、図１４の（ａ）に示す運転シーケンスより洗濯工程が短時間になっている。
【００２７】
図１５の（ｂ）において、乾燥工程では衣類に上下方向の動きを大きく与え、布絡みを防止して「しわ付き」のない仕上がりを得るために、洗濯工程とは反対に、緩斜面２１に向かう回転（図１において反時計方向回転に同じ）を急斜面１２に向かう回転（図１において時計方向回転に同じ）より、回転角度を大きく、このとき、回転角速度を等しくしている。すなわち、急斜面１２に向かう回転（図１において時計方向回転に同じ）を同じ速度で、小さくしている。
したがって、実施の形態１（図７参照）において説明したパルセータ１０の「しわ付き」防止効果が奏されると共に、回転角速度を等しくしている分、時計方向回転の時間や停止時間が短縮され、図１４の（ｂ）に示す運転シーケンスより乾燥工程が短時間になっている。
【産業上の利用可能性】
【００２８】
本発明は以上の構成であるから、布絡みやしわ付きが小さくなるから、各種家庭および業務用の洗濯乾燥機用のパルセータとして、また、各種家庭および業務用の洗濯乾燥機として広く利用することができる。
【図面の簡単な説明】
【００２９】
【図１】本発明の実施の形態１に係るパルセータを説明平面図。
【図２】本発明の実施の形態１に係るパルセータを説明する斜視図。
【図３】図１に示すパルセータを説明する稜線および遷移線に沿った展開図。
【図４】図１に示すパルセータを説明する円周に沿った展開図（フィレットなし）。
【図５】図１に示すパルセータを説明する円周に沿った展開図（フィレットあり）。
【図６】図１に示すパルセータの緩急斜面を示す模式図。
【図７】図１に示すパルセータの緩急斜面の作用効果を示す模式図。
【図８】本発明の実施の形態２に係るパルセータを説明平面図。
【図９】本発明の実施の形態２に係るパルセータを説明する斜視図。
【図１０】図８に示すパルセータを説明する稜線および遷移線に沿った展開図。
【図１１】図８に示すパルセータを説明する円周に沿う展開図（フィレットなし）。
【図１２】図８に示すパルセータを説明する円周に沿う展開図（フィレットあり）。
【図１３】本発明の実施の形態３に係る洗濯乾燥機を示す側面視の断面図。
【図１４】図１３に示す洗濯乾燥機の運転シーケンスを説明するタイムチャート。
【図１５】図１３に示す洗濯乾燥機の運転シーケンスを説明するタイムチャート。
【符号の説明】
【００３０】
１：遷移線（実施の形態１）、２：稜線（実施の形態１）、３：遷移線（実施の形態２）、４：稜線（実施の形態２）、１０：パルセータ（実施の形態１）、１２：急斜面、２０：パルセータ（実施の形態２）、２１：緩斜面、３４：急斜面、４３：緩斜面、θ１：傾斜角度、θ２：傾斜角度、１００：洗濯乾燥機、１０１：洗濯機筐体、１０２：受水槽、１０３：洗濯兼脱水槽、１０５：駆動手段、１０６：制御手段、１０７：風路、１０８：送風手段、１０９：加熱手段、１１０：温風吐出口、１１１：風路接続部、１１２：温風遮蔽手段、１１３：フタ、１１５：除湿手段、１５１：流体バランサ、１５２：除湿手段。
【図１】
2008043394.tif 000003
【図２】
2008043394.tif 000004
【図３】
2008043394.tif 000005
【図４】
2008043394.tif 000006
【図５】
2008043394.tif 000007
【図６】
2008043394.tif 000008
【図７】
2008043394.tif 000009
【図８】
2008043394.tif 000010
【図９】
2008043394.tif 000011
【図１０】
2008043394.tif 000012
【図１１】
2008043394.tif 000013
【図１２】
2008043394.tif 000014
【図１３】
2008043394.tif 000015
【図１４】
2008043394.tif 000016
【図１５】
2008043394.tif 000017